(57)【要約】【課題】  立方体パズルにおいて、遊戯者が手軽に楽しめるブロック玩具を提供することを目的とする。【解決手段】  キューブ１０〜１３を２行×２列にて１段に配列し、これらのキューブ１０〜１３を各行ｍ１、ｍ２毎又は各列ｎ１、ｎ２毎にそれぞれ対面方向Ｘ又は同Ｙに回転させることができるブロック玩具１であり、該ブロック玩具１の略中心に配置されると共に、半球状に分割され、その分割面３０、４０で摺動可能に構成され、且つ、分割面３０、４０に直交する外周に形成される軸受溝２１及び各分割面３０、４０の一端３１．４１に形成される切欠３２（３３）、４２（４３）を備えた球状の軸受部２と、前記軸受溝２１に支持される半月状リング部１００〜１３１及び前記切欠３２（３３）、４２（４３）に没入される突起１０１〜１３１を備えた各キューブからなるブロック玩具である。【選択図】図１
2012232098.tif 000002
【特許請求の範囲】
【請求項１】
２行×２列にて配列されるエレメントを各行毎又は各列毎にそれぞれ各エレメントの対面方向に回転させるブロック玩具であって、
該ブロック玩具内に配置されると共に、前記何れかの対面方向に沿って分割され、その分割面に直交する外周に形成される軸受溝及び各分割面の一端に形成される切欠を備えた軸受部と、
前記軸受部の軸受溝に枢着されるリング部及び前記軸受部の切欠に没入される突起を備えた各エレメントからなることを特徴とするブロック玩具。
【請求項２】
前記軸受部は、球状又は円柱状に形成されることを特徴とする請求項１に記載のブロック玩具。
【請求項３】
前記各エレメントは直方体であることを特徴とする請求項１又は２に記載のブロック玩具。
【請求項４】
各エレメントは、各行毎に回転する場合の対面及び各列毎に回転する場合の対面を除いた面に図柄が設けられていることを特徴とする請求項１乃至３の何れかに記載のブロック玩具。
【請求項５】
各エレメントによって、物の形態を模した玩具に形成されることを特徴とする請求項１乃至４の何れかに記載のブロック玩具。
【発明の詳細な説明】
【技術分野】
【０００１】
本発明は、パズル的な要素、マジック的な要素を備えることにより、遊戯者に興趣を与えることができるブロック玩具に関するものである。
【背景技術】
【０００２】
立方体パズルとして、ハンガリーの学者エルノー・ルービックが発明したルービックのキューブが有名である（特許文献１）。また、我が国では、立方体パズルとしての回転式立体組合せ玩具が開示されている（特許文献２）。
これらの立方体パズルは、例えば各６面がそれぞれ３列×３行の各ブロックからなり、遊戯者が各面を各行又各列毎に回転させて、各面を揃える（例えば同一の色等）までの試行錯誤に興趣を与え、遊戯者が各面を揃えるまでの時間を争う等で興趣を与えている。
【０００３】
しかし、この立方体パズルは、遊戯者によっては正解までの論理的な道筋を見つけることが難しく、ゲームの難易度が高く、手軽に楽しめるものではなかった。
【先行技術文献】
【特許文献】
【０００４】
【特許文献１】米国特許第４３７８１１６号明細書
【特許文献１】特公昭５５−３９５６号公報
【発明の概要】
【発明が解決しようとする課題】
【０００５】
そこで、本発明は、立方体パズルにおいて、遊戯者が手軽に楽しめるブロック玩具を提供することを目的とする。
【課題を解決するための手段】
【０００６】
上記課題を解決するため、２行×２列にて配列されるエレメントを各行毎又は各列毎にそれぞれ各エレメントの対面方向に回転させるブロック玩具であって、該ブロック玩具内に配置されると共に、前記何れかの対面方向に沿って分割され、その分割面に直交する外周に形成される軸受溝及び各分割面の一端に形成される切欠を備えた軸受部と、前記軸受部の軸受溝に枢着されるリング部及び前記軸受部の切欠に没入される突起を備えた各エレメントからなることを特徴とするブロック玩具とした（請求項１の発明）。
【０００７】
上記発明において、前記軸受部は、軸受溝を形成できる形状であればどのようなものでもよく、例えば球状又は円柱状に形成され（請求項２の発明）、卵型でもよい。
前記各エレメントは、キューブ状或いは直方体であり、従って各エレメントによって組み立てられる玩具は、立方体或いは直方体となる（請求項３の発明）。
その他、ブロック玩具が、角錐、円錐等の錐体の底面を対面として組み合わされた場合、角柱、円柱等の柱体の底面を対面として組み合わされた場合には、各列又は各行において、これらを２等分したものが各エレメントとなる。
【０００８】
各エレメントは、各行毎に回転する場合の対面及び各列毎に回転する場合の対面を除いた面に図柄が設けられていることを特徴とするブロック玩具とした（請求項４の発明）。
【０００９】
上記各発明において、各エレメントによって、物の形態を模した玩具に形成されることを特徴とするブロック玩具とした（請求項５の発明）。
即ち、物の形態（外観、外形）、例えば動産の形態を模した玩具であれば、動物の姿、人形の姿、販売促進に用いられるノベルティ商品等の玩具の形態が各エレメントで組み立てられることを特徴とするブロック玩具とする。さらに、不動産の形態を模した玩具であれば、建物の形態の玩具等が、各エレメントによって組み立てられることを特徴とするブロック玩具とする。これらの玩具は、形態玩具とも称する。
【発明の効果】
【００１０】
本発明のブロック玩具によれば、立方体パズルにおいて正解までの論理的な道筋を比較的容易に見つけることができ、遊戯者が手軽に楽しめるブロック玩具を提供することができる。
また、本発明の各エレメントを用いて、各種の物の形態（外観）に模したブロック玩具においては、ブロック玩具に形態の特徴をプラスすることができる玩具とすることができる。
このような形態玩具によれば、上記効果に加えて、その形態によって玩具の遊戯性、面白味等が発現され、幼児用の玩具となったり、販売促進用（ノベルティ）の玩具等にすることができ、応用範囲が広がる。
【図面の簡単な説明】
【００１１】
【図１】図１は実施例１に係るブロック玩具の斜視図、
【図２】図２は同玩具の動作を説明するためのブロック玩具の斜視図、
【図３】図３は同玩具の動作を説明するためのブロック玩具の斜視図、
【図４】図４は同玩具を対面方向Ｘにおいて２分割すると共に、それらの対面を臨ませた場合の分解斜視図、
【図５】図５は同玩具を対面方向Ｘ、同Ｙにおいて４分割すると共に、対面方向Ｘの対面を臨ませた場合の分解斜視図、
【図６】図６は同玩具の全構成の分解斜視図、
【図７】図７（Ａ）及び同（Ｂ）は実施例４に係る形態玩具の斜視図、
【図８】図８（Ａ）及び同（Ｂ）は実施例５に係る形態玩具の斜視図、
【図９】図９（Ａ）及び同（Ｂ）は実施例６に係る形態玩具の斜視図、
【図１０】図１０は実施例７に係る形態玩具の斜視図、
【図１１】図１１（Ａ）及び同（Ｂ）は実施例８に係る形態玩具の斜視図、
【図１２】図１２は実施例９に係る形態玩具の斜視図、
【図１３】図１３は実施例１０に係る形態玩具の斜視図、
【図１４】図１４（Ａ）は実施例１１に係る形態玩具の斜視図、同図（Ｂ）及び同（Ｃ）は同玩具の動作説明図、
【図１５】図１５（Ａ）及び同（Ｂ）は実施例１２に係る形態玩具の斜視図、
【図１６】図１６（Ａ）及び同（Ｂ）は実施例１３に係る形態玩具の斜視図、
【図１７】図１７は実施例１４に係るブロック玩具の斜視図、
【図１８】図１８（Ａ）及び（Ｂ）は実施例１５に係るブロック玩具であって、その一つのエレメントを外して、軸受部を臨ませた場合の要部斜視図、
【図１９】図１９は同玩具の一つのエレメントの蓋状板部を外した場合の要部斜視図、
【図２０】図２０は同玩具の軸受部の分解斜視図、
【図２１】図２１は同玩具のエレメントの蓋状板部を取外した状態の斜視図、
【図２２】図２２（Ａ）は実施例１６に係るブロック玩具であって、その２つのエレメントを外して、軸受部を臨ませた場合の要部斜視図、同（Ｂ）は、同軸受部の斜視図である。
【発明を実施するための形態】
【００１２】
本発明に係る本発明のブロック玩具１は、複数のエレメントを２行×２列に配列し、これらのエレメントを各行毎又は各列毎にそれぞれ各エレメントの対面方向に回転させることができるものであって、該ブロック玩具の内側に配置されると共に、前記何れかの対面方向に沿って２つに分割され、その分割面で摺動可能に構成され、且つ、分割面に直交する外周に形成される軸受溝及び各分割面の一端に形成される切欠とを備えた球状の軸受部と、その軸受溝に枢着されるリング部及び前記切欠に没入される突起を備えた各エレメントからなることを特徴とするブロック玩具である。
【実施例１】
【００１３】
実施例１に係るブロック玩具１は、図１に示すように、エレメント１０〜１３を２行×２列にて１段に配列されている。これらのキューブ状のエレメント（以下、キューブとも略称する）１０〜１３は、各行ｍ１、ｍ２毎又は各列ｎ１、ｎ２毎に、それぞれ各エレメントの面が対面する平面が含まれる対面方向の、それぞれ直交する対面方向（以下、面内方向とも称する）Ｘ、同Ｙに回転させることができる。
即ち、図２に示したように、各キューブ１０、１１と各キューブ１２、１３は、各行ｍ１、ｍ２毎に対面方向Ｘに回転させることができ、また図３に示したように、各キューブ１０、１２と各キューブ１１、１３は、各行ｎ１、ｎ２毎に対面方向Ｙ、即ち対面方向Ｘに直交する方向に回転させることができる。
【００１４】
かかる動作は、図４〜図６に図示したように、該ブロック玩具１の略中心に配置されると共に、前記方向Ｘに沿って半球状の軸受上部３と軸受下部４に分割される球状のものであって、その分割面３０、４０に直交する外周面２０に形成される軸受溝２１及び各分割面３０、４０の一端３１、４１に形成される切欠３２、３３、４２、４３とを備えた球状の軸受部２と、前記軸受溝２１に支持される半月状のリング部１００、１１０、１２０、１３０及び前記切欠３２、３３、４２、４３に没入される突起１０１、１１１、１２１、１３１とが形成される各キューブ１０〜１３により奏される。
【００１５】
以下において、ブロック玩具１の上記各構成要素を説明する。
前記キューブ１０〜１３はそれぞれ略同一に形成されているので、主としてキューブ１０をキューブ１１〜１３に代表させて説明する。
【００１６】
前記キューブ１０は、正方形状の第１０ａ〜第４面１０ｄと、平面を切り欠いて半月状リング部１００を形成した第５面１０ｅと、半球状の軸受上部３の１／２の部分が嵌めこまれる空間を形成した凹部１０２と、この凹部１０２によって平面に形成される半円周１０３に設けられた前記突起１０１を備えた第６面１０ｆからなる。
【００１７】
前記半月状リング部１００は、キューブ１０の第６面１０ｆが、列ｎ１方向に隣接するキューブ１２の第６面１２ｆに対面することにより、その半月状リング部１２０と共にリング状の回転軸となるもので、この回転軸は前記球状軸受部２の軸受溝２１に支持され枢着される。よって、図３に示したように、各キューブ１０、１２は各列ｎ１毎に対面方向Ｙに回転させることができる。
同様に、前記キューブ１１の半月状リング部１１０は、同キューブ１１の第６面１１ｆが、列ｎ２方向に隣接するキューブ１３の第６面１３ｆに対面することにより、その半月状リング部１３０と共に、リング状の回転軸となり、前記球状軸受部２の軸受溝２１に支持、枢着されて、図３に示したように各キューブ１１、１３は各行ｎ２毎に対面方向Ｙに回転させることができる。
【００１８】
前記突起１０１は、軸受上部３の分割面３０の一端３１に形成される切欠３２（３３）に嵌めこまれるもので、面内方向Ｘに前記キューブ１０と１１を回転する場合に、その回転力が伝えられて、軸受上部３と同下部４をそれぞれの分割面３０、４０で、面内方向Ｘにおいて摺動可能にさせるものである。
【００１９】
前記凹部１０２は、キューブ１０の第５面１０ｅとキューブ１１の第５面１１ｅとが対面して、その凹部１１２と共に、前記軸受上部３を収容する。
また、キューブ１２の第５面１２ｅとキューブ１３の第５面１３ｅとが対面して、その凹部１１２と１３２とより、前記軸受下部４を収容する。
そして、キューブ１０の第６面１０ｆとキューブ１２の第６面１２ｆとが対面し、キューブ１１の第６面１１ｆとキューブ１３の第６面１３ｆが対面することで、前記軸受部２を収容する球状の空間を形成させることができる。
【００２０】
なお、前記キューブ１０の前記凹部１０２と前記突起１０１を備えた第６面１０ｆは、図６のように、そのキューブ１０の本体１０４に対して、着脱自在な板部１０５に形成することで、組立の容易性が図られている。
【００２１】
前記軸受部２の軸受上下部３、４の前記分割面３０と４０には小突起とこれを受ける受孔（それぞれ図示せず）が形成され、小突起と受孔が係合することで、各切欠３２、３３、４２、４３が対面してセットされると共に、ブロック玩具１の各６面が揃うこととなる。
【００２２】
前記軸受部２の軸受上部３の分割面３０には係合突起３４が、軸受下部４の分割面４０には係合孔部４４が設けられ、係合突起３４が係合孔部４４に係合されることで球状の軸受部２が形成される。
【００２３】
上記のように構成されるブロック玩具１の組立手順を例示すれば、次の通りである。
キューブ１０とキューブ１１の板部１０５、１１５の各凹部１０２、１１２に軸受上部３を配置する共に、前記突起１０１、１１１を前記切欠３２、３３に挿入する。
次に、板部１０５、同１１５にセットした軸受上部３と共に、それらの板部１０５、１１５を各本体１０４、１１４にセットする。
この時、同時に半月状リング部１００、１１０は、前記軸受溝２１に支持される。同様にキューブ１２とキューブ１３を組み立てる。
最後に、軸受上部３の係合突起３４を軸受下部４の係合孔部４４に係合させる。
なお、軸受上部３又は軸受下部４の何れか一方を前記凹部１０２〜凹部１３２に固定することが望ましい。けだし、球状の軸受部２が空転することを防止するためである。
【００２４】
以上のように組み立てられたブロック玩具１は、次のように動作される。
遊戯者がキューブ１０とキューブ１１を把持し、キューブ１２とキューブ１３を把持し、前記Ｘ方向に回転力を加えると、その力が各突起１０１〜１３１から前記軸受部２の各切欠３２〜４３に伝達されて、前記係合突起３４が係合孔部４４で回転すると共に、それぞれの分割面３０、４０が面内方向Ｘに摺動され、キューブ１０〜１３が各行ｍ１、ｍ２毎に対面方向Ｘに回転する。
一方、遊戯者がキューブ１０とキューブ１２を把持し、キューブ１１とキューブ１３を把持し、前記Ｙ方向に回転力を加えると、その力が前記半月状リング部１００及び１２０からなるリング状の回転軸と、同１１０及び１３０からなるリング状の回転軸に伝達され、記軸受部２の軸受溝２１を回転することとなり、キューブ１０〜１３が各列ｎ１、ｎ２毎に対面方向Ｙに回転する。
【実施例２】
【００２５】
本発明に係るブロック玩具１において、各行ｍ１、ｍ２毎に回転する場合の対面（第６面１０ｆ〜１３ｆ）及び各列ｎ１、ｎ２毎に回転する場合の対面（第５面１０ｅ〜１３ｅ）を除いた４面、即ち、第１面１０ａ〜１３ａ、第２面１０ｂと１２ｂ、第２面１１ｂと１３ｂ、第３面１０ｃと１１ｃ、第３面１２ｃと１３ｃ、第４面１０ｄ〜１３ｄに、例えば赤色、青色、黄色、白色、緑色、黒色等図柄を施してもよい。
そして前記各面をバラバラにそれぞれ色違いにして、各６面の色を揃えるようなゲームとしてもよい。
【実施例３】
【００２６】
また、第１面１０ａ〜１３ａ（例えばイチゴ）、第２面１０ｂと１２ｂ（例えば葡萄）、第２面１１ｂと１３ｂ（例えばバナナ）、第３面１０ｃと１１ｃ（例えばナシ）、第３面１２ｃと１３ｃ（例えばスイカ）、第４面１０ｄ〜１３ｄ（例えばパイナップル）のように、果物の図柄を施してもよい。
そして各面をバラバラにした後、各６面の果物の図柄を揃えることをゲームの正解とするようなゲームとしてもよい。
さらに複雑にして、第１面１０ａ及び１１ａに亘って例えばイチゴ図柄、第１面１２ａ及び１３ａに亘って例えばイチジク図柄、第２面１０ｂと１２ｂに亘って例えば葡萄図柄、第２面１１ｂ及び１３ｂに亘って例えばバナナ図柄、第３面１０ｃと１１ｃに亘って例えばナシ図柄、第３面１２ｃ及び１３ｃに亘って例えばスイカ図柄、第４面１０ｄ及び１２ｄに亘ってパイナップル図柄、第４面１１ｄと１３ｄに亘ってパパイヤ図柄のように、果物の図柄を施し各８面の果物の図柄を揃えるようなゲームとしてもよい。
【００２７】
以上の実施例では、球状の軸受部２は、前記対面方向Ｘに沿って半球状の軸受上部３と軸受下部４に分割されているが、前記対面方向Ｙに沿って半球状に分割するものでもよい。この場合、対面となる第５面１０ｅ〜１３ｅに、凹部１０２〜１３２と、半円周１０３〜１３２に設けられた各突起１０１〜１３１を備え、第６面１０ｆ〜１３ｆに半月状リング部１００を備えればよい。
【００２８】
以上のように構成されるブロック玩具１は、次のような効果を奏する。
（１）  各エレメント１０〜１３が各行ｍ１、ｍ２毎に対面方向Ｘに回転し、一方、各エレメント１０〜１３が各列ｎ１、ｎ２毎に対面方向Ｙに回転することで、各エレメントの分離と統合という矛盾するような動作が可能となり、遊戯者の興趣を引くことができる。
（２）  従来の立体パズルと異なり、正解までの論理的な道筋を比較的容易に見つけることができ、遊戯者が手軽に楽しめるブロック玩具を提供することができる。
（３）  上記ブロック玩具では、エレメントを２行×２列にて１段に配列して構成したことから、コンパクトなブロック玩具となっている。
（４）  上記ブロック玩具では、その中心に球状の軸受部２を配置したことで、キューブ状のエレメントの他、種々の形態を表現できるブロック玩具となっている。
即ち、立体を４分割することができることを条件に、各エレメントの形態を決めることができ、変化に富んだパズルとすることができる。例えば直方体型、球体型、ダイヤモンド型、円柱型、円錐型、次に詳述する各種形態玩具等である。
【実施例４】
【００２９】
図７（Ａ）及び図７（Ｂ）に示した実施例４に係る形態玩具１Ａは飲料容器としてのカンの形態を模したもので、カンを４分割し各部を各エレメント１０〜１３としたのである。
以下の各実施例においては、詳細な図示は省略して、実施例１に係るブロック玩具１の図６等の各図面を参照しつつ、説明する。
【００３０】
前記エレメント１０〜１３は、前記第１面１０ａ〜１３ａ、第２面１０ｂ〜１３ｂ、第３面１０ｃ〜１３ｃ及び第４面１０ｄ〜１３ｄ（以下、第１面第１０ａ〜第４面１３ｄとも略称する）に対応する、外周面を備え、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上下部３、４の１／２の部分が嵌めこまれる空間を形成した凹部１０２〜１３２と、これらの凹部１０２〜１３２の半円周１０３〜１３３に設けられた前記突起１０１〜１３１を備えている。
【００３１】
前記形態玩具１Ａの詳細な構成は上記各実施例と同様であり、同様な作用効果を奏すると共に、次のような効果を奏する。
（５）  形態玩具１Ａの外周面を、飲料の商品広告のスペースとして、ノベルティに有用なブロック玩具にすることができる。
【実施例５】
【００３２】
図８（Ａ）及び図８（Ｂ）に示した実施例５に係る形態玩具１Ｂは飲料容器としてのビン、ペットボドルの形態を模したもので、それらを４分割し各部を各エレメント１０〜１３としたのである。
【００３３】
図８（Ａ）の形態玩具１Ｂの前記エレメント１０とエレメント１１は、ビン等の上半部及び飲口部を２分割して前記第１面１０ａ、１１ａ、第２面１０ｂ、１１ｂ、第３面１０ｃ、１１ｃ及び第４面１０ｄ、１１ｄ（以下、第１面１０ａ〜第４面１１ｄ）に対応する、外周面を備える。前記エレメント１２とエレメント１３は、ビン等の下半部を２分割して前記第１面１２ａ、１３ａ、第２面１２ｂ、１３ｂ、第３面１２ｃ、１３ｃ及び第４面１２ｄ、１３ｄ（以下、前記１面第１２ａ〜第４面１３ｄ）に対応する、外周面を備えている。
また、図８Ｂの形態玩具１Ｂは、ビン等の形状に対して、縦方向に短冊状に４分割して、各エレメント１０〜１３としたもので、各エレメント１０〜１３は、それぞれ前記第１面１０ａ〜第４面１３ｄに対応する、外周面を備えている。
そして、各形態玩具１Ｂは、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３、４の１／２の部分が嵌めこまれる空間を形成した凹部１０２〜１３２と、これらの凹部１０２〜１３２の半円周１０３〜１３３に設けられた前記突起１０１〜１３１を備えている。
【００３４】
前記形態玩具１Ｂの詳細な構成は上記各実施例と同様であり、同様な作用効果を奏する。
【実施例６】
【００３５】
図９（Ａ）及び図９（Ｂ）に示した実施例６に係る形態玩具１Ｃは、包装容器の箱、本等の形態を模したもので、それらを４分割し各部を各エレメント１０〜１３としたのである。
前記形態玩具１Ｃの詳細な構成は上記各実施例と同様であり、同様な作用効果を奏する。
【実施例７】
【００３６】
図１０に示した実施例７に係る形態玩具１Ｄは、袋状の包装容器等の形態を模したもので、これを４分割し各部を各エレメント１０〜１３としたのである。
【００３７】
前記エレメント１０〜１３は、前記第１面１０ａ〜第４面１３ｄに対応する、外周面を備え、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３の１／２の部分が嵌めこまれる空間を形成した凹部１０２〜１３２と、これらの凹部１０２〜１３２によって平面に形成される半円周１０３〜１３３に設けられた前記突起１０１〜１３１を備えている。
【００３８】
前記形態玩具１Ｄの詳細な構成は上記各実施例と同様であり、同様な作用効果を奏する。
【実施例８】
【００３９】
図１１（Ａ）及び図１１（Ｂ）に示した実施例８に係る形態玩具１Ｅは、人形、動物、ロボット、キャラクタ等の形態を模したもので、それらを４分割し各部を各エレメント１０〜１３としたのである。
【００４０】
図１１（Ａ）に示した形態玩具１Ｅの前記エレメント１０とエレメント１１は、人形の頭部を２分割して前記第１面１０ａ〜第４面１３ｄに対応する、外周面を備え、前記エレメント１２とエレメント１３は、人形の首下部を２分割して前記第１面１０ａ〜第４面１３ｄに対応する、外周面を備えている。
また、図１１（Ｂ）に示した形態玩具１Ｅは、人形を縦方向に短冊状に４分割したもので、前記エレメント１０とエレメント１１は、人形の左右の半身部を２分割して前記第１面１０ａ〜第４面１１ｄに対応する、外周面を備え、前記エレメント１２とエレメント１３は、残りの左右の半身部を２分割して前記第１２ａ〜第４面１３ｄに対応する、外周面を備えている。
そして、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３の１／２の部分が嵌めこまれる空間を形成した凹部１０２〜１３２と、これらの凹部１０２〜１３２によって平面に形成される半円周１０３〜１３３に設けられた前記突起１０１〜１３１を備えている。
【００４１】
前記形態玩具１Ｅの詳細な構成は上記各実施例と同様であり、同様な作用効果を奏すると共に、次のような作用効果を奏する。
（６）  人形等の玩具という面と、パズルの玩具という面が融合した玩具を提供することができる。
（７）  パズル玩具の面は、幼児の興味を高めつつ、能力向上に寄与する知育玩具とすることができる。
【実施例９】
【００４２】
図１２に示した実施例９に係る形態玩具１Ｆは、自動車玩具の形態を模したもので、これを４分割し各部を各エレメント１０〜１３としたのである。
【００４３】
前記エレメント１０〜１１は、自動車の後半部の前記第１面１０ａ〜第４面１１ｄに対応する、外周面を備え、前記エレメント１２〜１３は、自動車の前半部の前記第１２ａ〜第４面１３ｄに対応する、外周面を備えている。
そして、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３の１／２の部分が嵌めこまれる空間を形成した凹部１０２〜１３２と、これらの凹部１０２〜１３２の半円周１０３〜１３３に設けられた前記突起１０１〜１３１を備えている。
【００４４】
前記形態玩具１Ｆの詳細な構成は上記各実施例と同様であり、同様な作用効果を奏する。
【実施例１０】
【００４５】
図１３に示した実施例１０に係る形態玩具１Ｇは、地球儀、ホール等の球状の形態を模したもので、これを４分割し各部を各エレメント１０〜１３としたのである。
【００４６】
前記エレメント１０〜１３は、前記第１面１０ａ〜第４面１３ｄに対応する、外周面を備え、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３の１／２の部分が嵌めこまれる空間を形成した凹部１０２〜１３２と、これらの凹部１０２〜１３２によって平面に形成される半円周１０３〜１３３に設けられた前記突起１０１〜１３１を備えている。
【００４７】
前記形態玩具１Ｇの詳細な構成は上記各実施例と同様であり、同様な作用効果を奏する。
【実施例１１】
【００４８】
図１４（Ａ）〜図１４（Ｃ）に示した実施例１１に係る形態玩具１Ｈは、リング形状、ドーナッツ形状の形態を模したもので、それらを４分割し各部を各エレメント１０〜１３としたのである。
【００４９】
前記エレメント１０〜１３は、リングの半径方向に沿って上下に分割する共に、その半径方向に直交する方向で左右に分割したもので、図１４（Ｂ）のように各列ｎ１、ｎ２毎に回転させることができ、図１４（Ｃ）のように各列ｍ１、ｍ２毎に回転させることができる。
即ち、各列ｎ１、ｎ２毎に回転する場合の対面と、各列ｍ１、ｍ２毎に回転する場合の対面が交差する、２カ所に形成される各エレメント１０〜１３の境界Ｚの何れか一方の内部に、前記軸受部２を配置すると共に、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３、４の１／２の部分が嵌めこまれる空間を形成した凹部１０２〜１３２と、これらの凹部１０２〜１３２の半円周１０３〜１３３に設けられた前記突起１０１〜１３１を備えている。
【００５０】
前記形態玩具１Ｈの詳細な構成は上記各実施例と同様であり、同様な作用効果を奏する。
【実施例１２】
【００５１】
図１５（Ａ）及び図１５（Ｂ）に示した実施例１２に係る形態玩具１Ｉは、カップ麺の容器の形態を模したもので、これを輪切り状又は短冊状に４分割し各部を各エレメント１０〜１３としたのである。
【００５２】
前記エレメント１０〜１３は、前記第１面１０ａ〜第４面１３ｄに対応する、外周面を備え、各列ｎ１、ｎ２毎に回転する場合の対面（第５面１０ｅ〜１３ｅ）に、半月状リング部１００〜１３０が形成され、各行ｍ１、ｍ２毎に回転する場合の対面（第６面１０ｆ〜１３ｆ）に、半球状の軸受上部３の１／２の部分が嵌めこまれる空間を形成した凹部１０２〜１３２と、これらの凹部１０２〜１３２によって平面に形成される半円周１０３〜１３３に設けられた前記突起１０１〜１３１を備えている。
【００５３】
前記形態玩具１Ｉの詳細な構成は上記各実施例と同様であり、同様な作用効果を奏する。
【実施例１３】
【００５４】
図１６（Ａ）及び図１６（Ｂ）に示した実施例１３に係る形態玩具１Ｊは、丼状のカップ麺の容器の形態を模したもので、これを輪切り状又は短冊状に４分割し各部を各エレメント１０〜１３としたので、前記形態玩具１Ｊの詳細な構成は上記各実施例と同様であり、同様な作用効果を奏する。
【００５５】
以上の形態玩具は上記各実施例に限定されるものではなく、例えばリンゴ、みかん等の果物の形態を模したもの、植物の形態を模したもの等、あらゆる物の形態が含まれる。
【実施例１４】
【００５６】
上記各実施例のブロック玩具について、紐、ストラップ、チェーン等の連結手段を取付けることができる取付部５を設けるようにしてもよい。
前記取付部５として、例えば前記ブロック玩具を構成する各エレメントの任意の場所に紐等を通すことができる孔を形成したり、突起を形成してその突起に孔を形成してもよい。
図１７に示したブロック玩具１では、エレメント１０〜１３の第２面に突起を形成し、その突起に孔を形成した取付部５を設けている。
かかるブロック玩具の他の構成は、上記各実施例と同様であり、同様な作用効果を奏すると共に、次のような効果を奏する。
（８）  ブロック玩具１を身に付けることができる程度にミニサイズとして、それに前記取付部５を設けたことにより、アクセサリーとしての機能を発揮させることができる。
【実施例１５】
【００５７】
この実施例１５の一つ目の特徴は、図１８（Ａ）及び図１９に示したように、軸受部２の軸受上部３又は同下部４の何れかの外周面２０に係合凸部２００を設け、この係合凸部２００が係合する係合切欠２０１をエレメント１０〜１３の何れかの凹部１０２〜１３２に設けたことである。
上記各実施例１〜１４では、球状の軸受部２が空転することを防止するため、軸受上部３又は軸受下部４の何れか一方を前記凹部１０２〜凹部１３２の何れかに固定することとしていた。固定方法は、例えば接着剤を用いてもよい。
この実施例１５では、軸受部２側に前記係合凸部２００を設け、エレメント１０〜１３側に係合切欠２０１を設けたので、軸受部２を前記凹部１０２〜凹部１３２にセットすると同時に、軸受部２が、エレメント１０〜１３側の凹部１０２〜凹部１３２の何れかに固定されることとなる。
前記係合凸部２００は、外周面２０の一部を四角形に区画して肉厚としたもので、軸受部２の軸受上部３又は同下部４の何れかの外周面２０に、例えば前記切欠３２の上方に一つだけ設ける。
これに対して、係合切欠２０１はエレメント１０〜１３の各凹部１０２〜１３２にそれぞれ設けてもよく、この場合には、ブロック玩具の組立が容易なる。
【００５８】
この実施例１５の２つ目の特徴は、図２０に図示したように、前記係合突起３４の具体例として、一対のリブ３４０、３４０を設け、他方、前記係合孔部４４には、前記リブ３４０を受入れる受入溝４４０を設けた点である。
前記一対のリブ３４０は、スリットを介して円柱状に形成され、各リブの先端の頂面にはその外側に膨出される膨出部３４１が形成されている。
一方、係合孔部４４は、一対のリブ３４０間のスリットを塞いで挿入させる径を備え、前記受入溝４４０まで臨まされた前記膨出部３４１が、スリットを閉じる力から解放されることで、軸受部２の軸受上部３と同下部４とが一体化されるようになっている。
よってかかる構成により、軸受上部３と軸受下部４とが確実に、且つ、容易に一体化されることとなる。
【００５９】
この実施例１５では上記各実施例の着脱自在な板部１０５〜１３５の構成を用いずに、各凹部１０２〜１３２が各エレメント１０〜１３に一体に成形され、軸受部２が各エレメント１０〜１３本体に安定的に配置され、他方、図２１のように、各エレメント１０〜１３の第３面１０ｃ〜１３ｃに蓋状板部を設けている。
また、前記軸受部２の軸受下部４の前記分割面４０には小突起４５が設けられ、軸受下部４と軸受上部３が１８０度毎にずれて回転する毎に、これら小突起４５に対応する軸受上部３の受孔（図示せず）と係合して、その安定が図られている。  
さらに、各行ｍ１、ｍ２毎に回転する場合の対面１０ｆ〜１３ｆ及び各列ｎ１、ｎ２毎に回転する場合の対面１０ｅ〜１３ｅに、それぞれ図１８（Ｂ）に図示したような面係合凸部１０７〜１３７及び面係合凹部１０８〜１３８を設けてもよい。
このように構成により、例えば図１８（Ｂ）のように、エレメント１０の面係合凸部１０７とエレメント１２の面係合凹部１２８が係合し、エレメント１０の面係合凹部１０８とエレメント１２の面係合凸部１２７が係合する如く、それらの面同士のグリップ性を向上させることができる。
なお、各対面毎に一つの面係合凸部と一つの面係合凹部を設けた場合には、各エレメントを回転させたときに、面係合凸部同士、面係合凹部同士が対面する場合が生じるので、各面には対面する毎に係合し合う一組の面係合凸部と面係合凹部が必要である。
その他の構成は、上記各実施例と同様であり、同様な作用効果を奏する。
【実施例１６】
【００６０】
この実施例１６の特徴は、図２２（Ａ）及び同図（Ｂ）のように、球状の軸受部２に代えて、円柱状の軸受部２Ａとした点である。
この円柱状の軸受部２Ａに対応させて、エレメント１０〜１３の各凹部１０２〜１３２も、それぞれ半円柱状に形成されるほか、その他の構成は、上記各実施例と同様である。
この実施例１６では上記の作用効果の他、円柱状の軸受部２Ａの場合、軸受部２Ａを包むエレメント１０〜１３の各凹部１０２〜１３２の面積が前記球状の軸受部２よりも増大することで、各エレメント１０〜１３の回転の操作性を向上させることができる。
【００６１】
本発明は以上説明した実施例に限定されるものではなく、多くの変形が本発明の技術的思想内で当分野において、通常の知識を有する者により可能である。
【符号の説明】
【００６２】
１  ブロック玩具
１Ａ〜１Ｊ  形態玩具                    
１０〜１３  エレメント（キューブ）
１０ａ  １１ａ  １２ａ  １３ａ  第１面
１０ｂ  １１ｂ  １２ｂ  １３ｂ  第２面
１０ｃ  １１ｃ  １２ｃ  １３ｃ  第３面
１０ｄ  １１ｄ  １２ｄ  １３ｄ  第４面
１０ｅ  １１ｅ  １２ｅ  １３ｅ  第５面
１０ｆ  １１ｆ  １２ｆ  １３ｆ  第６面
１００  １１０  １２０  １３０  半月状リング部
１０１  １１１  １２１  １３１  突起
１０２  １１２  １２２  １３２  凹部
１０３  １１３  １２３  １３３  半円周
１０４  １１４  １２４  １３４  本体
１０５  １１５  １２５  １３５  板部
１０６  １１６  １２６  １３６  蓋状板部
１０７  １１７  １２７  １３７  面係合凸部
１０８  １１８  １２８  １３８  面係合凹部
２  球状の軸受部                ２Ａ  円柱状の軸受部
２０  外周面
２００  係合凸部
２０１  係合切欠
２１  軸受溝
３  軸受上部                          ３０  分割面
３１  分割面の一端                    ３２  ３３  切欠
３４  係合突起
３４０  リブ                          ３４１  膨出部
４  軸受下部                          ４０  分割面
４１  分割面の一端                    ４２  ４３  切欠
４４  係合孔部                        ４４０  受入溝
４５  小突起
５  取付部
ｍ１  ｍ２  行                      ｎ１  ｎ２  列
Ｘ  対面方向                        Ｙ  対面方向
Ｚ  境界
【図１】
2012232098.tif 000003
【図２】
2012232098.tif 000004
【図３】
2012232098.tif 000005
【図４】
2012232098.tif 000006
【図５】
2012232098.tif 000007
【図６】
2012232098.tif 000008
【図７】
2012232098.tif 000009
【図８】
2012232098.tif 000010
【図９】
2012232098.tif 000011
【図１０】
2012232098.tif 000012
【図１１】
2012232098.tif 000013
【図１２】
2012232098.tif 000014
【図１３】
2012232098.tif 000015
【図１４】
2012232098.tif 000016
【図１５】
2012232098.tif 000017
【図１６】
2012232098.tif 000018
【図１７】
2012232098.tif 000019
【図２２】
2012232098.tif 000020
【図１８】
2012232098.tif 000021
【図１９】
2012232098.tif 000022
【図２０】
2012232098.tif 000023
【図２１】
2012232098.tif 000024